(57)【要約】【構成】実質的にボックス形の作業面であって、下部基部（１１）、上部シート（１３）、および上記基部（１１）に対して直交し、外部環境に向けてボックスを閉じ、少なくとも一対の脚部（３１）によって上記シート（１３）に対して直交方向に支持される周辺横壁（１２）を有する作業面を設けたコンピュータ化されたテーブルである。上記テーブルの作業面が、スクリーンを上記シート（１３）に向けて上記ボックス内に配置され、上記シート内の対応する窓（１４）から見ることができる少なくとも一つのモニター（１５）を有する。また、上記シート（１３）は、透明材料によって保護した対応する窓（１４）を有するため、可視化が可能である。上記作業面の下部基部（１１）に貫通孔（１７）を設けて、外部環境に接続するようにし、そしてこの貫通孔に導体（４０）を挿通し、上記モニター（１５）に与えられ、かつこのモニターが与えるプログラムを供給する。テーブルの上記支持脚部（３１）の一つに、両端が開放した管状長手キャビティを設けて、上記モニターに与え、かつこのモニターから与えられるプログラムを供給する導体をこの管状長手キャビティに挿通する。上記脚部については床に安定的に固定することが好ましい。本発明のテーブルは、電源供給用外部ネットワーク、データ送信用外部ネットワークおよびキーボード、マウスやプリンターを含むモニターの一連の補助デバイスに接続する複数のコネクタ（５）を有する。これらコネクタ（５）の一部はＵＳＢポートによって構成する。【選択図】図３
2018511369.tif 000002
【特許請求の範囲】
【請求項１】
実質的にボックス形の作業面であって、下部基部、上部シート、および前記基部に対して直交し、外部環境に向けてボックスを閉じ、少なくとも２つの脚部によって前記シートに対して直交方向に支持される少なくとも３つの周辺横壁を有する作業面を設けたコンピュータ化されたテーブルであって、
前記作業面が、スクリーンを前記シートに向けて前記ボックス内に配置され、前記シート内の対応する窓から見ることができる少なくとも一つのモニターを有し、前記作業面の下部基部に少なくとも一つの第１貫通孔を設けて、外部環境に接続するようにし、そして、
前記の支持脚部の少なくとも一つに、両端が開放した管状長手キャビティを設けて、前記モニターに与え、かつこのモニターから与えられるプログラム（ｓｅｒｖｉｃｅｓ）を供給する第１導体をこの管状長手キャビティに挿通したことを特徴とするコンピュータ化されたテーブル。
【請求項２】
前記の横壁の少なくとも一つに、第２貫通孔を設け、前記モニターに与え、かつこのモニターから与えられるプログラムを供給する第２導体をこの第２貫通孔に挿通した請求項１に記載のテーブル。
【請求項３】
前記脚部を床に安定的に固定した請求項１に記載のテーブル。
【請求項４】
両端にネジを刻設し、これら両端に締め付けられた一対のボルトで前記脚部および前記作業面にロックされたバーによって前記脚部を前記作業面に固定した請求項１に記載のテーブル。
【請求項５】
前記脚部の横表面に、前記の導体を挿通させる少なくとも一つの貫通孔を設けた請求項１に記載のテーブル。
【請求項６】
前記作業面内に配置され、前記モニターに接続されたマイクロコンピュータを有する請求項１に記載のテーブル。
【請求項７】
前記第１導体によって電源供給用の少なくとも一つの外部ネットワーク、およびデータ送信用の外部ネットワークに接続可能な請求項１に記載のテーブル。
【請求項８】
前記第２導体によって前記モニター用の補助デバイスに接続可能な請求項１に記載のテーブル。
【請求項９】
前記の接続をＵＳＢポートによって行う請求項８に記載のテーブル。
【請求項１０】
前記補助デバイスが少なくとも一台のキーボード、１個のマウスおよび１機のプリンターを有する請求項８に記載のテーブル。
【発明の詳細な説明】
【技術分野】
【０００１】
本発明はオフィス用備品（ｏｆｆｉｃｅ  ｆｕｒｎｉｔｕｒｅ  ｉｎｄｕｓｔｒｙ）に、特にオフィス用テーブルに関する。なお、本明細書で使用する用語“テーブル”はこの種の任意の備品、例えばテーブル、デスク、ベンチなどを指す用語である。
【背景技術】
【０００２】
現在、モニターをコンピュータに接続し、かつこのモニターと相互作用する一連の補助装置を備えたテーブルを使用しないワークステーションについては、想像することができない。建築家、エンジニア、法律家、医者、会計士などいくつかの例を挙げるが、これら専門家にとってコンピュータやコンピュータシステムは日常の仕事をこなすさい欠くべからざる手段である。ところが、これらの装置がテーブルに存在すると、面倒な問題が生じることが多い。事実として、これらが存在するため、テーブル上で利用できるスペースが狭くなる。即ち、問題に対処するさいに直ちに必要な書類やファイル類を置いておくべきスペースが必要となる。仕事中の者が面と向かって対話し、両者がモニターに表示されている図面やデータを使用する必要がある場合には、別な問題が生じる。即ち、モニターを両方向に連続回転して、相手にこれらデータやコメントを見せて、モニターがタッチスクリーンの場合には、モニターと交流する必要がある。
【０００３】
近年、テーブル上に、また場合によってはテーブルの下に置かれた装置類を、少なくとも電気を各種装置に供給するために床上に置かれた電源供給タワーに接続するためにテーブル表面だけでなく、床上に存在する配線類やコネクタ類全体に関連する問題が常に存在している状況である。
【０００４】
この状況を見て、本出願人は、上記問題を解決し、コンピュータを使用し、かつ仕事中に、ワークステーションにいる他の者と対話する必要がある者の仕事を楽にすることを可能にする本発明を実現するにいたった。
【０００５】
本発明の目的は、テーブル表面から、作業時に使用される装置類の大半およびこれら装置類を相互接続し、かつ外部ネットワークに接続するケーブル類や接続部品の大半を撤去することを可能にするコンピュータ化されたテーブル（ｃｏｍｐｕｔｅｒｉｓｅｄ  ｔａｂｌｅ）を提供することにある。
【発明の概要】
【０００６】
即ち、本発明のより包括的な態様において、本発明は実質的にボックス形の作業面であって、下部基部、上部シート、および上記基部に対して直交し、外部環境に向けてボックスを閉じ、少なくとも２つの脚部によって上記シートに対して直交方向に支持される周辺横壁を有する作業面において、この作業面が、スクリーンを上記シートに向けて上記ボックス内に配置され、上記シート内の対応する窓から見ることができる少なくとも一つのモニターを有し、上記作業面の下部基部に少なくとも一つの第１貫通孔を設けて、外部環境に接続するようにしたことを特徴とし、かつ上記支持脚部の少なくとも一つに、両端が開放した管状長手キャビティを設けて、上記モニターに与え、かつこのモニターから与えられるプログラム（ｓｅｒｖｉｃｅｓ）を供給する第１導体をこの管状長手キャビティに挿通したことを特徴とする作業面を設けたテーブルを提供するものである。
【０００７】
本発明の上記以外の特徴および作用効果については、本発明のテーブルの好ましいが、非限定的な実施態様、特に技術的な脚部（ｔｅｃｈｎｏｌｏｇｉｃａｌ  ｌｅｇ）を使用する実施態様の詳細な説明から明らかになるはずである。
【図面の簡単な説明】
【０００８】
添付図面に非限定的な実施例として示す本発明テーブルの具体的な実施態様を参照して、以下本発明を説明する。
【図１】本発明のテーブルの好適な実施態様の正面図である。
【図２】図１のテーブルの好適な実施態様の正面斜視図である。
【図３】本発明の脚部に従って支持された、図１のテーブルの角部を示す部分的な直線断面図である。
【図４】図１のテーブルの第１実施態様を備えたワークステーションを示す正面概略斜視図である。
【図５】図４のワークステーションの第１実施態様を示す正面図である。
【発明を実施するための形態】
【０００９】
図１は、本発明のテーブルの好適な実施態様を示す図である。このテーブルは、４本の脚部２に載った作業面（ｗｏｒｋ  ｓｕｒｆａｃｅ）１を有し、脚部２の内の一つの脚（２１）から、以下に詳しく説明するように、電源供給タワー４に接続されて電気ケーブル３が延出する。現実には、テーブルは各種の形状を取ることができ、例えば、３本のみの脚部によって支持する円形テーブルでもよく、あるいは、例えば、非常に狭い室内では作業面の一方の側部を壁に固定し、反対側を２本のみの脚部によって支持してもよい。テーブルの形状および脚部の本数は、例えばより多数の脚部を必要とする広く、高さのある室内に存在するテーブルを対象とする場合には、本発明をどのような意味においても制限するものではない。
【００１０】
電源供給タワーに脚部を接続したテーブルは、作業面Ｓがかなり厚く、この作業面の少なくとも一つの前面に少なくとも一つのコネクタ５が存在しているため、通常のテーブルと異なる。
【００１１】
図３に、ここでコンピュータ化されたテーブルと呼ぶ本発明テーブルをより詳細に示す。図示のテーブルは実質的にボックス形態を取り、下部の基部１１、好ましくはこの基部に平行する上部シート１３、および基部１１に直交し、上記ボックスが外部環境に対して閉じる少なくとも一つの周辺横壁１２を有する。円形テーブルの場合、好ましくは円筒形の横壁が一枚あればよいが、通常は、横壁として４枚使用する。上部シート１３は例えば木材、金属、合成材などの任意の適当な材料で構成することができるが、このような材料がガラスとは違って透明ではない場合には、ボックス１の内部を見ることができる少なくとも一つの窓１４を設ける。作業面については、少なくとも一枚のモニター（ｍｏｎｉｔｏｒ）１５をボックス１内に設け、上部シート１３にスクリーン１６を対向配置し、上記の窓１４から見ることができるようにする。
【００１２】
窓を閉鎖する上部シート１３の場合、タッチスクリーンを使用して作業を行えるタイプのものが好ましい。タッチスクリーン、即ち（人体の露出部分が触れる、通常、指先やその他の同様な部位）のタッチに敏感で、このタッチを介してモニターに接続されたコンピュータに具体的な操作指示を送るモニタースクリーン（裸眼に可視的な情報を表示する任意の出力デバイス）については、以前から公知である。
【００１３】
本発明の好ましい実施態様の場合、このタッチスクリーンは、可撓性のあるタッチフォイル、即ち可撓性のプラスチック材料からなり、モニターと保護シートとの間に挿入される透明シートによって実現できる。このため、ガラスやその他の透明材料を保護し、洗浄や取り外しが簡単なシートを使用することができ、本発明テーブルの保守が簡単になる。
【００１４】
さらに、上記表面の基部１１には、外部環境に接続する少なくとも一つの第１貫通孔１７、および上記モニターにプログラム（ｓｅｒｖｉｃｅｓ）を与え、かつ上記モニターからプログラムを取り出す第１導体４０が挿通する少なくとも一つの第２貫通孔１８を設ける。また、上記ボックスの少なくとも一方の側に、配線４１を介して上記モニターに接続されるコネクタ５によって閉じられる少なくとも一つの貫通孔１９を設ける。このようなモニターとしては、実際のモニターであればよく、即ちスクリーンの支持体、（ｉＰａｄ（登録商標）などの）単なるスクリーン、あるいはスクリーンに接続したコンピュータも使用することができる。本発明の好ましい実施態様では、コンピュータはスクリーンから分離し、これに接続し、そして上記スクリーンから分離された位置でボックス内に配置する。
より好ましくは、上記コンピュータとしてマイクロコンピュータを使用する。
【００１５】
ここでは技術的脚部３１と呼ぶ支持脚部のうち少なくとも一つには、管状の長手キャビティ３２を設ける。このキャビティ３２は両端が開放し、作業面に接続できる。より具体的に説明すると、このような脚部は任意の好適な材料からなる管状要素によって構成し、ネジ刻設バー３３を介してその下部を上記テーブルの基部に固定し、このネジ刻設バー３３はその端部をボックスの貫通孔１７に挿入延入し、ネジに締め付けられたボルト３４を使用して内部にロックする。また、ネジ刻設バー３３の他端は、脚部の下端に一体化した剛性のある隔壁（ｓｅｐｔｕｍ）３５に、これに対して外側に挿入し、ネジに締め付けられたボルト３６を使用して内部にロックする。
【００１６】
技術的脚部３１については、その形状をわずかに円錐台形状に構成するのが好ましく、ボルト３６をバー３３の端部に締め付けることによって摩擦により隔壁３５と脚部の内壁とを簡単にロックすることができる。
【００１７】
また、少なくとも脚部３１については、固定のために利用できる多くのシステムのうちの一つを使用し、例えば脚部と床に同時に固定されるＬ形定規３７を使用して、床に安定的に固定するのが好ましい。
【００１８】
また、脚部３１の横表面には、導体４０を挿通する少なくとも一つの貫通孔３８を設ける。貫通孔１８および３８への導体４０の挿通は自由ではなく、これら貫通孔を封止するキャップまたはコネクタ３９によって行うのが好ましい。このような導体を使用するため、ボックス内に配置したコンピュータ（複数の場合もある）およびスクリーン（複数）を少なくとも一つの電源供給用外部ネットワークに接続でき、またタワー４に設けられ、通常は床に固定したデータ送信用の外部ネットワークに接続する。一方、コネクタ５を介して導体４１を設けたため、ボックス内に配置したコンピュータ（複数の場合もある）およびスクリーン（複数）を作業面に存在するか、場合によっては分離されていることもあるキーボード、マウスやプリンターなどの補助デバイスに接続できる。上記コネクタ５については、コンピュータ技術分野でよく知られている所謂ＵＳＢポートで構成するのが好ましい。
【００１９】
図２に、ボックス内に含まれるスクリーンに表示された情報を見ることができる、本発明に従って一対の窓を設けたコンピュータテーブルの作業面を示す。本発明の場合、窓の個数および窓のテーブル上の位置に制限がなく、任意の方法によればよい。
【００２０】
本発明は上記問題を解決するもので、各種の作用効果がある。誰かが一人で作業する場合、手の届く範囲で書類を置いておくスペースをテーブル上に広く取ることができる。ボックス内にスクリーンを配置しているため、作業面に多くのスペースを取らないキーボードおよび／またはマウスだけを置くことができ、無線型の場合には、任意の位置で操作が容易になり、邪魔になることはない。
【００２１】
さらに、図４に示すように、担当者がワークステーション内で他の者（協力者、同僚、依頼者、供給者、訪問者）と対話している場合には、必ずしも必要ないが、好ましくはボックス内に配置され、自由に操作できるモニター５１、キーボード５２およびマウス５３を正面にしてテーブルの一方の側につき、相手はボックス内に配置されたスクリーンを正面にしてテーブルの反対側に着くことになる。２台のスクリーンが接続されているため、両者はリアルタイムで同じ情報を見ることができ、相手はスクリーンの透明な表面をタッチするだけでこの情報と交流することができる。作用効果は明白である。利用できるテーブル表面からツール類を撤去でき、スクリーンの連続回転は必要なく、ミーティングの進行がスムーズで集中力を失うことはない。
【００２２】
技術的脚部が存在しているため、さらに別な作用効果も得られる。即ち、ケーブル類を床に這わせる必要がなく、テーブルの下に技術的ボックスも必要がない。室内のレイアウトおよび電源供給タワーの位置に関して、テーブルの購入時や注文時に、脚部とタワーとの距離を最短にできるようにテーブル脚部の中から適切な技術的脚部を選択することが可能になる。技術的脚部を床に固定するため、テーブルの位置を変えることができ、従って電源供給やデータネットワークとの接続を乱す恐れがある不慮の衝撃から保護することが可能である。
【００２３】
本明細書の説明は、本発明の具体的に記述した実施態様の考えられるすべての構造や寸法関係を与えるものではない。実際、本発明のシステムの構成細部を深く掘り下げる必要はないと考える。当業者ならば、以上の説明からでも設計することが可能であり、また適切な材料や寸法など最も有利な技術上の手段を講じることができるはずである。
【００２４】
なお、各実施態様を限定する関係などに関して、以上の説明からこれら実施態様を明らかに実施できる以上、本発明の保護範囲内で各種の変更が可能である。
【符号の説明】
【００２５】
１：作業面、ボックス
２：脚部
３：電気ケーブル
４：電源供給タワー
５：コネクタ
１１：基部
１２：周辺横壁
１３：上部シート
１４：窓
１５：モニター
１６：スクリーン
１７：第１貫通孔
１８：第２貫通孔
１９：貫通孔
２１：脚部２の内の一つの脚
３１：技術的脚部、脚部
３２：長手キャビティ
３３：ネジ刻設バー
３４、３６：ボルト
３５：隔壁
３７：Ｌ形定規
３８：貫通孔
３９：コネクタ
４０：第１導体
４１：配線、導体
５１：モニター
５２：キーボード
５３：マウス
【図１】
2018511369.tif 000003
【図２】
2018511369.tif 000004
【図３】
2018511369.tif 000005
【図４】
2018511369.tif 000006
【図５】
2018511369.tif 000007
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
実質的にボックス形の作業面であって、下部基部（１１）、上部シート（１３）、および前記基部に対して直交し、外部環境に向けてボックスを閉じ、少なくとも２つの脚部（３１）によって前記シートに対して直交方向に支持される少なくとも３つの周辺横壁（１２）を有する作業面を設けたコンピュータ化されたテーブルであって、
前記作業面が、スクリーンを前記シートに向けて前記ボックス内に配置され、前記シート内の対応する窓（１４）から見ることができる少なくとも一つのモニター（１６）を有し、前記作業面の下部基部に少なくとも一対の第１貫通孔（１７、１８）を設けて、外部環境に接続するようにし、そして、
前記の支持脚部の少なくとも一つに、両端が開放した管状長手キャビティ（３２）を設けて、前記モニターに与え、かつこのモニターから与えられるプログラム（ｓｅｒｖｉｃｅｓ）を供給する第１導体をこの管状長手キャビティに挿通したコンピュータ化されたテーブルにおいて、
管状の長手キャビティを設けた前記脚部が、
前記脚部内の前記のキャビティの下端に設けられ、前記脚部に一体化された、剛性を示す隔壁（３５）、および
両端にネジが刻設され、一端が前記ボックスの前記貫通孔の一つ（１７）に挿入され、内部を延入し、この内部においてネジによって締め付けられたボルト（３４）によってロックされ、そして他端が外部にあって前記の剛性を示す隔壁（３５）に挿入され、そして対応するネジに締め付けられたボルト（３６）によってロックされたバー（３３）を有することを特徴とするコンピュータ化されたテーブル。
【請求項２】
前記の横壁の少なくとも一つに、第２貫通孔を設け、前記モニターに与え、かつこのモニターから与えられるプログラムを供給する第２導体をこの第２貫通孔に挿通した請求項１に記載のテーブル。
【請求項３】
前記脚部を床に安定的に固定した請求項１に記載のテーブル。
【請求項４】
前記脚部（３１）の前記長手キャビティ（３２）が円錐台形状である請求項１に記載のテーブル。
【請求項５】
前記脚部の横表面に、前記の導体を挿通させる少なくとも一つの貫通孔を設けた請求項１に記載のテーブル。
【請求項６】
前記作業面内に配置され、前記モニターに接続されたマイクロコンピュータを有する請求項１に記載のテーブル。
【請求項７】
前記第１導体によって電源供給用の少なくとも一つの外部ネットワーク、およびデータ送信用の外部ネットワークに接続可能な請求項１に記載のテーブル。
【請求項８】
前記第２導体によって前記モニター用の補助デバイスに接続可能な請求項１に記載のテーブル。
【請求項９】
前記の接続をＵＳＢポートによって行う請求項８に記載のテーブル。
【請求項１０】
前記補助デバイスが少なくとも一台のキーボード、１個のマウスおよび１機のプリンターを有する請求項８に記載のテーブル。
【国際調査報告】
2018511369.tif 000008
2018511369.tif 000009
2018511369.tif 000010